(57)【特許請求の範囲】
【請求項１】
窓が装着される開口が形成されると共に該窓の周縁部が接触することにより水や風の侵入を防止するウエザーストリップが前記開口の周縁部に固定された枠体に、該枠体の裏側から前記窓を固定する窓固定装置において、
前記ウエザーストリップよりも前記枠体の裏側に位置し、前記窓によって裏側から表側に押し付けられる押付面を備え、
前記押付面よりも前記枠体の裏側に配置された前記窓を前記枠体の表側に向けて押し付けることにより、前記窓が前記押付面の先端を乗り越えて該押付面と前記ウエザーストリップとの間に移動して該間で前記窓を固定することを特徴とする窓固定装置。
【請求項２】
前記枠体に固定される固定部と、
該固定部に隣接する、前記押付面が形成された押付部とを備えたことを特徴とする請求項１に記載の窓固定装置。
【請求項３】
前記固定部は、所定間隔離れて２つ並んだものであり、
前記押付部は、前記２つの固定部の間に位置するものであることを特徴とする請求項２に記載の窓固定装置。
【請求項４】
前記押付面の裏側で該押付面に並行に広がる、前記押付面と共に移動する板状の操作部を備え、
前記固定部は、前記操作部に略直交する位置に配置された板状のものであることを特徴とする請求項２又は３に記載の窓固定装置。
【請求項５】
前記押付面の裏側で該押付面に並行に広がる、前記押付面と共に移動する板状の操作部を備え、
前記固定部は、前記操作部に略平行な位置に配置された板状のものであることを特徴とする請求項２又は３に記載の窓固定装置。
【請求項６】
前記固定部と前記操作部とは、弾性的に変形する弾性部によってつながっているものであり、
前記押付部と前記操作部とは、剛性を有する剛性部によってつながっているものであることを特徴とする請求項４又は５に記載の窓固定装置。
【請求項７】
前記枠体に固定される窓の下端部を所定の位置で受け止める、前記枠体に固定された位置決め部材を備えたことを特徴とする請求項１から６までのうちのいずれか一項に記載の窓固定装置。
【請求項８】
窓が装着される開口が形成されると共に該窓の周縁部が接触することにより水や風の侵入を防止するウエザーストリップが前記開口の周縁部に固定された枠体に、該枠体の裏側から前記窓を固定する窓固定装置において、
矩形で板状の操作部と、
該操作部のいずれかの辺の両端部それぞれから該辺に略直交する方向に湾曲しながら延びる、弾性的に変形する弾性部と、
該弾性部につながってその先端側に形成された、前記枠体に固定される固定部と、
前記辺の中央部から該辺に略直交する方向に湾曲しながら延びる、剛性を有する剛性部と、
前記剛性部につながってその先端側に形成された、前記操作部と共に移動する押付部とを備え、
該押付部は、
前記枠体の裏側から窓によって押されることにより該窓に乗り越えられる避難位置に移動して前記ウエザーストリップに接触して該ウエザーストリップとの間で前記窓を固定する、前記操作部に並行に広がる押付面が形成されたものであることを特徴とする窓固定装置。
【請求項９】
窓の角部に嵌め込まれて外部からの水分の侵入を防止するシール材を備えたことを特徴とする請求項１から８までのうちのいずれか一項に記載の窓固定装置。
【発明の詳細な説明】
【０００１】
【発明の属する技術分野】
本発明は、枠体に窓を固定する窓固定装置に関する。
【０００２】
【従来の技術】
例えばパワーショベルなどの建設機械の運転室（キャブ）では、通常、透明な前面窓が配置されている。この前面窓について図８、図９、及び図１０を参照して説明する。
【０００３】
図８は、建設機械のキャブを示す斜視図であり、図９は、下窓を固定する構造を示す分解図である。図１０は下窓を固定する固定装置を示す斜視図である。
【０００４】
図８に示すように、キャブ１０の前面窓２０は、通常、上側に位置する大きな上窓２２と、下側に位置する小さな下窓２４とに分割されている。上窓２２は、キャブ１０の天井１２の下方までスライドするように構成されていることが多い。一方、下窓２４は、キャブ１０のボディ１４に固定されている（実用新案登録公報第２５３９１２１号参照）。
【０００５】
図９に示すように、ボディ１４のうち下窓２４を固定する部分には、下窓２４を固定するために、下窓２４の形状に合う鋼製の窓枠２６が固定されている。この窓枠２６は、溝２６ａが形成された横断面がＬ字状のものである。溝２６ａには、溝２８ａが形成された横断面がＳ字状のゴム製のゴム枠２８が嵌め込まれている。
【０００６】
Ｓ字状の窓枠２６の２つの上端部それぞれには、窓固定装置３０（図９では、一方のものだけを示す。）のラッチ部３２が固定されている。窓固定装置３０の差込部３４はボディ１４に固定されている。ラッチ部３２のピン３２ａが差込部３４の孔３４ａに差し込まれる。また、Ｕ字状の窓枠２６の底部には、２つのピン２６ｂ（図９では１つだけ示す。）が形成されており、このピン２６ｂは、ボディ１４に固定された位置決めブッシュ１６に差し込まれる。
【０００７】
下窓２４をボディ１４に固定する際には、下窓２４の周縁部をゴム枠２８の溝２８ａに上方から差し込み、ピン２６ｂを位置決めブッシュ１６に差し込む。これにより下窓２４の固定位置が決められる。その後、ラッチ部３２のピン３２ａを差込部３４の孔３４ａに差し込み、下窓２４を窓枠２６とボディ１４に固定する。また、水切用シール材１８が窓枠２６の２つの上端部それぞれに固定される。なお、１つの窓固定装置３０は、一般に、両手で操作される。従って、２つの窓固定装置３０を操作するためには、２回の動作が必要である。
【０００８】
上記した窓固定装置３０の他、下窓２４をボディ１４に固定する技術としては、ボディ１４にガイドフレームを形成しておき、このガイドフレームに下窓２４を案内させながらスライドさせて、下窓２４をボディ１４に固定する技術が知られている。
【０００９】
【発明が解決しようとする課題】
上記した窓固定装置３０を使って下窓２４をボディ１４に固定する技術では、上述したように、窓２４を固定するためには２回の動作が必要である。このため、その分だけ時間がかかり、面倒な固定作業となる。また、ラッチ部３２と差込部３４の取付位置が整合していない場合、ラッチ部３２のピン３２ａと差込部３４の孔３４ａのに差し込む際に、ピン３２ａが孔３４ａの周囲を擦って塗膜が剥げて錆びが発生するおそれがある。さらに、ラッチ部３２が下窓２４の一部に飛び出ているので、見栄えが悪い。同様に、下窓２４を取り外したときにラッチ部３２が飛び出ているので、全体の見栄えが悪い。さらにまた、窓枠２６、ゴム枠２８、及び、ラッチ部３２と差込部３４などの多数の部品が必要であるため、部品点数が多くなり、それだけ操作性や作業性が悪くなる。
【００１０】
また、上記したボディ１４にガイドフレームを形成しておく技術では、下窓２４をガイドフレームにスライドさせながら差し込むので、作業性が悪い。また、下窓１４の一部がガイドフレームで覆われ、さらに、ラッチ部３２が突出しているので、機械操作時の有効視界が減少する。さらに、窓固定装置３０と同様に、見栄えの悪さや操作性・作業性が悪いという問題もある。
【００１１】
このように、従来のような窓固定技術では、窓を固定する際に手間がかかって操作性や作業性が悪いという問題がある。
【００１２】
本発明は、上記事情に鑑み、枠体に窓を容易に固定できる窓固定装置を提供することを目的とする。
【００１３】
【課題を解決するための手段】
上記目的を達成するための本発明の第１の窓固定装置は、所定形状の枠体に窓を固定する窓固定装置において、
（１）表側から押される力を押し戻すと共に裏側から押されることにより所定の避難位置に移動する押付面を備え、
（２）上記枠体に固定されることを特徴とするものである。
【００１４】
ここで、上記の窓固定装置は、
（３）上記枠体に固定される固定部と、
（４）この固定部に隣接する、上記押付面が形成された押付部とを備えてもよい。
【００１５】
また、
（５）上記固定部は、所定間隔離れて２つ並んだものであり、
（６）上記押付部は、上記２つの固定部の間に位置するものであってもよい。
【００１６】
さらに、
（７）上記の窓固定装置は、上記押付面の裏側でこの押付面に並行に広がる、上記押付面と共に移動する板状の操作部を備え、
（８）上記固定部は、上記操作部に略直交する位置に配置された板状のものであってもよい。
【００１７】
さらにまた、
（９）上記押付面の裏側でこの押付面に並行に広がる、上記押付面と共に移動する板状の操作部を備え、
（１０）上記固定部は、上記操作部に略平行な位置に配置された板状のものであってもよい。
【００１８】
さらにまた、
（１１）上記固定部と上記操作部とは、弾性的に変形する弾性部によってつながっているものであり、
（１２）上記押付部と上記操作部とは、剛性を有する剛性部によってつながっているものであってもよい。
【００１９】
さらにまた、上記の窓固定装置は、
（１３）上記枠体に固定される窓の下端部を所定の位置で受け止める、上記枠体に固定された位置決め部材を備えてもよい。
【００２０】
また、上記目的を達成するための本発明の第２の窓固定装置は、所定形状の枠体に窓を固定する窓固定装置において、
（１４）矩形で板状の操作部と、
（１５）この操作部のいずれかの辺の両端部それぞれからこの辺に略直交する方向に湾曲しながら延びる、弾性的に変形する弾性部と、
（１６）この弾性部につながってその先端側に形成された、上記枠体に固定される固定部と、
（１７）上記辺の中央部からこの辺に略直交する方向に湾曲しながら延びる、剛性を有する剛性部と、
（１８）上記剛性部につながってその先端側に形成された、上記操作部と共に移動する押付部とを備え、
（１９）この押付部は、表側から押される力を押し戻すと共に裏側から押されることにより所定の避難位置に移動する、上記操作部に並行に広がる押付面が形成されたものであることを特徴とするものである。
【００２１】
さらにまた、上記の窓固定装置は、
（２０）窓の角部に嵌め込まれて外部からの水分の侵入を防止するシール材を備えてもよい。
【００２２】
【発明の実施の形態】
以下、図面を参照して本発明の窓固定装置の実施形態を説明する。
【００２３】
図１から図３までを参照して、窓固定装置の一実施形態を説明する。ここでは、上記の従来技術で説明した下窓２４（図８〜図１０参照）をキャブ１０のボディ１４に固定する窓固定装置を例に挙げて説明するが、本発明の窓固定装置は他の車両や住宅用窓など、様々な窓を固定する際に使用できる。また、ガラス窓だけでなく樹脂性の窓を固定する際にも使用できる。
【００２４】
図１は、下窓を固定する構造を示す分解図であり、図２は、窓を固定している窓固定装置を示す斜視図である。図３は、窓固定装置を示す、（ａ）は表側から視た斜視図であり、（ｂ）は裏側から視た斜視図である。これらの図では、図８から図１０までに示す構成要素と同一の構成要素には同一の符号が付されている。
【００２５】
図１や図２に示すように、ボディ１４のうち下窓２４の周縁部が接触する部分には、水や風などの侵入を防止するためにゴム製のウエザーストリップ４０が取り付けられている。このウエザーストリップ４０については図４を参照して後述する。このウエザーストリップ４０に下窓２４の周縁部を押し付けて固定するために、下窓２４の幅方向両端部２４ａ（図１では一端部のみ示す。）を窓固定装置５０でウエザーストリップ４０に押し付ける。また、下窓２４の下端部２４ｂの２か所（（図１では一か所のみ示す。）は、ゴム製の位置決め部材７０に押し付けられる。なお、下窓２４の角部２４ｃには、外部からの水（水分）などの侵入を防止するために水切用のシール材８０が嵌め込まれる。
【００２６】
窓固定装置５０は、周知の射出成型によって樹脂から一体構造で製造される。また、窓固定装置５０は、下窓２４を装着するためにボディ１４に形成された開口の周縁部に固定される。通常は、この開口の周縁部のうち下窓２４の幅方向両端部２４ａ（図１参照）に対応する２か所に窓固定装置５０を固定しておけばよい。ここでは、ボディ１４が、本発明にいう所定形状の枠体の一例である。
【００２７】
窓固定装置５０には、図３に示すように、長方形（矩形の一例である。）で板状の操作部（解除レバー）５２が形成されている。この操作部５２は、ボディ１４（図１参照）に固定された下窓２４を取り外すときに操作される。この逆に、ボディ１４に下窓２４を固定するときは操作部５２には触れない。
【００２８】
操作部５２の２つの長辺のうちの一方の長辺（本発明にいう操作部のいずれかの辺の一例である。）５２ａの両端部それぞれからは、この長辺５２ａに直交する方向に湾曲しながら延びる弾性部５４が形成されている。これら２つの弾性部５４の最小厚さは２ｍｍ程度であり、２つの弾性部５４は、後述する押付部の動きに伴って弾性的に変形する。
【００２９】
２つの弾性部５４それぞれの先端側（長辺５２ａとは反対側）には、ボディ１４に固定するためのボルト孔５６ａが形成された固定部５６が形成されている。このボルト孔５６ａにボルトを差し込んでボディ１４に固定部５６を固定することにより、窓固定装置５０がボディ１４に固定される。固定部５６の最大厚さは１０ｍｍ程度であり、固定部５６は剛性を有するものである。
【００３０】
上記した２つの弾性部５４は互いに４０ｍｍ程度離れており、この間に、剛性部５８が形成されている。剛性部５８は、長辺５２ａの中央部からこの長辺５２ａに直交する方向に湾曲しながら延びており、最大厚さは４〜５ｍｍ程度である。従って、剛性部５８は剛性を有し、ほとんど変形しない。
【００３１】
上記した２つの固定部５６は互いに２５ｍｍ程度離れており、この間に、押付部６０が形成されている。押付部６０は、剛性部５８につながっており、この剛性部５８の先端側（長辺５２ａとは反対側）から操作部５２に向けてやや湾曲して形成されている。押付部６０の最大厚さは５ｍｍ程度あり、ほとんど変形しない。
【００３２】
押付部６０の先端部分には、操作部５２に並行に広がる押付面６２が形成されている。押付面６２は、無負荷の状態では固定部５６よりも操作部５２に近い側に位置している。この押付面６２は、表側（操作部５２とは反対側）から押される力を押し戻すと共に、裏側（操作部５２の側）から押されることにより固定部５６とほぼ同じ位置かもしくはこの固定部よりもボディ１４にやや近い位置（本発明にいう避難位置の一例である）に移動する。
【００３３】
図４から図７までを参照して、上記の窓固定装置５０及び位置決め部材７０を用いて窓を固定する手順を説明する。
【００３４】
図４は、窓固定装置のセット位置に下窓を差し込んだ状態を示す上面図であり、図５は、操作面６２が裏側から押されて避難位置に位置した状態を示す上面図である。図６は、窓固定装置によって固定された下窓を示す上面図である。図７は、下窓の下端部と位置決め部材７０の位置関係を示す側面図である。これらの図では、図１から図３までに示す構成要素と同一の構成要素には同一の符号が付されている。また、図４から図６までは、窓固定装置５０の固定部５６を省略している。
【００３５】
窓固定装置５０はボディ１４のインナーパネル１４ａに固定される。インナーパネル１４ａには、下窓２４を取り付けるための開口２５が形成されており、この開口２５の周縁部には、上述したように、ゴム製のウエザーストリップ４０が取り付けられている。ウエザーストリップ４０は、インナーパネル１４ａとアウターパネル１４ｂの接合部に固定されてこの接合部を覆うフィニッシャ４２と、下窓２４によって変形して押し潰される変形部４４から構成される。変形部４４はフィニッシャ４２に固定されている。
【００３６】
窓固定装置５０をインナーパネル１４ａに固定するに当っては、図６に示すように下窓２４が固定されたときに変形部４４が下窓２４で押し潰される位置に下窓２４が位置するように、固定部５６（図３参照）のボルト孔５６ａにボルト（図示せず）を通してこの固定部５６をインナーパネル１４ａに固定する。また、位置決め部材７０をインナーパネル１４ａに固定するに当っては、位置決め部材７０の係止部７０ａをインナーパネル１４ａの孔１４ｃに差し込む。
【００３７】
下窓２４をインナーパネル１４ａに固定するに当っては、先ず、図４に示すように、操作部５２をガイドにしてこの操作部５２と押付部６０との間に下窓２４の周縁部が位置するように下窓２４を上から挿入する。このとき、下窓２４の下端部２４ｂを位置決め部材７０の凹部７０ｂに嵌め込む。続いて、下窓２４のうち窓固定装置５０の周縁部もしくはその近傍部分を押付面６２の裏側から表側に向けて（矢印Ａ方向に）押す。この押す力によって、図５に示すように、操作部５２が矢印Ａ方向にやや傾くと共に弾性部５４が弾性変形して押付面６２が避難位置に移動する。さらに下窓２４を押し続けると、下窓２４が押付面６２の先端６２ａを乗り越えて押付面６２の表側に移動する。これによりウエザーストリップ４０の変形部４４が下窓２４によって押し潰され、変形部４４と下窓２４の周縁部が互いに密着して水や風の侵入を防止できる。
【００３８】
下窓２４が押付面６２の表側に移動し終ると、弾性変形している弾性部５４が元の形に戻ろうとするが、変形部４４からの反発力などによって押付面６２がその表側から押されることとなる。しかし、押付面６２はその押される力を押し戻すので、下窓２４の周縁部がインナーパネル１４ａに押し付けられる。この場合、押付部６０と操作部５２とが剛性部５８でつながっているので、インナーパネル１４ａに固定されている下窓２４によって押付面６２がその表側から押されても、操作部５２を操作しない限り押付部６０は移動しにくく、下窓２４がインナーパネル１４ａにいっそう強固に固定される。
【００３９】
また、下窓２４がインナーパネル１４ａに固定されると下窓２４は矢印Ａ方向にやや傾くので、その下端部２４ｂは位置決め部材７０の凹部７０ｂに嵌り込んだままウエザーストリップ４０の変形部４４に押し付けられる。この結果、変形部４４が下端部２４ｂに押し潰されて変形部４４と下端部２４ｂが互いに密着して水や風の侵入を防止できる。
【００４０】
上述のように、下窓２４を押付面６２の裏側に配置して、この裏側から表側に向けて下窓２４を押すだけで下窓２４がインナーパネル１４ａに固定されることとなり、いわゆるワンタッチの操作で下窓２４をインナーパネル１４ａに容易に固定できる。また、インナーパネル１４ａに固定された下窓２４を取り外すときは、操作部５２と押付面６２とが剛体部５８を介して共に移動するので、押付面６２が避難位置に移動するように操作部５８を矢印Ａ方向に押す。これによりインナーパネル１４ａから下窓２４を容易に取り外せる。
【００４１】
【発明の効果】
以上説明したように本発明の第１の窓固定装置では、枠体と押付面との距離が窓の厚さよりもやや短くなるように窓固定装置を枠体に固定しておき、窓の周縁部が押付面の裏側に位置するように窓を置く。この状態で、窓の周縁部もしくはその近傍部分を押付面の裏側から表側に向けて押す。この押す力によって押付面が避難位置に移動し、窓の周縁部が押付面の表側に移動できる。押付面と枠体との距離は窓の厚さよりもやや短いので、押付面はその表側から押されることとなる。押付面が表側から押されると、押付面はその押す力を押し戻すので、窓の周縁部が枠体に押し付けられる。この結果、窓の周縁部が枠体にしっかりと固定され、窓が枠体に固定されることとなる。即ち、窓を押付面の裏側に配置して、この裏側から表側に向けて窓を押すだけで窓が枠体に固定されることとなり、いわゆるワンタッチの操作で窓を枠体に容易に固定できる。なお、窓の周縁部の複数箇所それぞれを窓固定装置で枠体に固定すると、枠体に窓がいっそう強く固定されることとなる。
【００４２】
ここで、上記枠体に固定される固定部と、この固定部に隣接する、上記押付面が形成された押付部とを備えた場合は、固定部と押付部が隣接しているので、サイズが小型で設置スペースの少なくて済む窓固定装置が得られる。
【００４３】
また、上記固定部は、所定間隔離れて２つ並んだものであり、上記押付部は、上記２つの固定部の間に位置するものである場合は、２つの固定部によって窓固定装置を枠体にいっそう強固に固定できる。
【００４４】
さらに、上記押付面の裏側でこの押付面に並行に広がる、上記押付面と共に移動する板状の操作部を備え、上記固定部は、上記操作部に略直交する位置に配置された板状のものである場合は、窓固定装置によって枠体に窓が固定されている場合、操作部が押付面と共に移動するので、押付面が避難位置に移動するように操作部を操作することにより窓を容易に取り外せる。また、枠体に窓を固定するに当っては、操作部が押付面の裏側に位置するので、操作部と押付面の間に窓の端部を位置させてこの端部を押付面に向けて押すことにより、窓が枠体に容易に固定される。
【００４５】
さらにまた、上記押付面の裏側でこの押付面に並行に広がる、上記押付面と共に移動する板状の操作部を備え、上記固定部は、上記操作部に略平行な位置に配置された板状のものである場合は、固定部と操作部がほぼ一平面上に位置することとなるので、固定部が視界を遮らずに視界が良好になる。
【００４６】
さらにまた、上記固定部と上記操作部とは、弾性的に変形する弾性部によってつながっているものであり、上記押付部と上記操作部とは、剛性を有する剛性部によってつながっているものである場合は、固定部と操作部とが弾性部によってつながっているので操作部を操作し易い。また、押付部と操作部とが剛性部でつながっているので、枠体に固定されている窓によって押付面が表側から押されても、操作部を操作しない限り押付部は移動しにくく、窓が枠体にいっそう強固に固定される。
【００４７】
さらにまた、上記枠体に固定される窓の下端部を所定の位置で受け止める、上記枠体に固定された位置決め部材を備えた場合は、窓の下端部が所定の位置で受け止められるので、正確な位置に窓を固定できる。
【００４８】
また、本発明の第２の窓固定装置では、窓を枠体に固定するに当っては、先ず、窓の周縁部が窓固定装置で固定されるように固定部を枠体に固定する。このとき、枠体と押付面との距離が窓の厚さよりもやや短くなるように窓固定装置を枠体に固定する。次に、操作部と押付部との間に窓の周縁部が位置するように窓を配置し、この周縁部もしくはその近傍部分を押付面の裏側から表側に向けて押す。この押す力によって弾性部が弾性変形すると共に押付面が避難位置に移動し、窓が押付面の表側に移動する。窓が押付面の表側に移動し終ると、弾性変形している弾性部が元の形に戻る。また、押付面と枠体との距離は窓の厚さよりもやや短いので、押付面はその表側から押されることとなる。押付面が表側から押されると、押付面はその押す力を押し戻すので、窓の周縁部が枠体に押し付けられる。この場合、押付部と操作部とが剛性部でつながっているので、枠体に固定されている窓によって押付面が表側から押されても、操作部を操作しない限り押付部は移動しにくく、窓が枠体にいっそう強固に固定される。このようにして、窓の周縁部が枠体にしっかりと固定され、窓が枠体に固定されることとなる。即ち、窓を押付面の裏側に配置して、この裏側から表側に向けて窓を押すだけで窓が枠体に固定されることとなり、いわゆるワンタッチの操作で窓を枠体に容易に固定できる。また、枠体に固定された窓を取り外すときは、操作部と押付面とが剛体部を介して共に移動するので、押付面が避難位置に移動するように操作部を操作する。これにより枠体から窓を容易に取り外せる。なお、窓の周縁部の複数箇所それぞれを窓固定装置で枠体に固定すると、枠体に窓がいっそう強く固定されることとなる。
【００４９】
また、上記の窓固定装置が、窓の角部に嵌め込まれて外部からの水分の侵入を防止するシール材を備えた場合は、外部からの水や水分の侵入を確実に防止できる。
【図面の簡単な説明】
【図１】下窓を固定する構造を示す分解図である。
【図２】下窓を固定している窓固定装置を示す斜視図である。
【図３】窓固定装置を示す、（ａ）は表側から視た斜視図であり、（ｂ）は裏側から視た斜視図である。
【図４】窓固定装置のセット位置に下窓を差し込んだ状態を示す上面図である。
【図５】操作面が裏側から押されて避難位置に位置した状態を示す上面図である。
【図６】窓固定装置によって固定された下窓を示す上面図である。
【図７】下窓の下端部と位置決め部材の位置関係を示す側面図である。
【図８】建設機械のキャブを示す斜視図である。
【図９】図８のキャブの下窓を固定する構造を示す分解図である。
【図１０】図８のキャブの下窓を固定する固定装置を示す斜視図である。
【符号の説明】
１４  ボディ
２４  下窓
５０  窓固定装置
５２  操作部
５２ａ  操作部の一辺
５４  弾性部
５６  固定部
５８  剛性部
６０  押付部
６２  押付面
７０  位置決め部材
８０  シール材
【図１】
0004079298.tif 000002
【図２】
0004079298.tif 000003
【図３】
0004079298.tif 000004
【図４】
0004079298.tif 000005
【図５】
0004079298.tif 000006
【図６】
0004079298.tif 000007
【図７】
0004079298.tif 000008
【図８】
0004079298.tif 000009
【図９】
0004079298.tif 000010
【図１０】
0004079298.tif 000011